(57)【要約】【課題】無線ＬＡＮアクセスポイントのエリア内の任意の場所で，無線タグを利用して，無線ＬＡＮアクセスポイントの設定情報を携帯端末に設定できるシステムを提供する。【解決手段】無線ＬＡＮアクセスポイント接続システム１は，公衆無線ＬＡＮサービスを利用するために設置された無線ＬＡＮアクセスポイント５と，無線ＬＡＮアクセスポイント５の設定情報を少なくとも記憶した無線タグ３と，近距離無線通信により無線タグ３から設定情報を読み取り，無線タグ３から読み取った設定情報を利用して無線ＬＡＮアクセスポイント５に接続する携帯端末２とから少なくとも構成される。【選択図】図１
2017147536.tif 000002
【特許請求の範囲】
【請求項１】
公衆無線ＬＡＮサービスに対応する無線ＬＡＮアクセスポイントの設定情報を記憶した無線タグと，
前記無線タグから前記設定情報を近距離無線通信により読み出す処理と，前記無線タグから読み出した前記設定情報を利用して前記無線ＬＡＮアクセスポイントへ接続する処理を行う無線ＬＡＮ接続制御部を備えた携帯端末と，
から少なくとも構成したことを特徴とする無線ＬＡＮアクセスポイント接続システム。
【請求項２】
前記無線タグに対応する前記無線ＬＡＮアクセスポイントが設置された場所に係る情報を印刷したシート状の印刷物に前記無線タグを貼付したことを特徴とする，請求項1に記載した無線ＬＡＮアクセスポイント接続システム。
【請求項３】
前記無線タグは，前記無線タグが貼付された前記印刷物の識別子を記憶し，前記携帯端末の前記無線ＬＡＮ接続制御部は，前記設定情報と前記印刷物の識別子を前記無線タグから読み出し，前記設定情報を利用して前記無線ＬＡＮアクセスポイントへ接続した後，前記印刷物の識別子を利用して前記公衆無線ＬＡＮサービスにログインすることを特徴とする，請求項２に記載した無線ＬＡＮアクセスポイント接続システム。
【発明の詳細な説明】
【技術分野】
【０００１】
本発明は，公衆無線ＬＡＮサービスに対応した無線ＬＡＮアクセスポイントへ接続するための技術に関する。
【背景技術】
【０００２】
無線ＬＡＮを利用したインターネット接続サービスを提供する公衆無線ＬＡＮサービスが，商業施設や公共交通機関（駅，車内）など様々な場所で利用できるようになった。公衆無線ＬＡＮサービスを利用することで，インターネットを格安で利用できるため，近年，公衆無線ＬＡＮサービスを利用する人が増えている。
【０００３】
公衆無線ＬＡＮサービスには，有料サービスと無料サービスの２種類がある。有料の公衆無線ＬＡＮサービスの場合，公衆無線ＬＡＮサービスに対応した無線ＬＡＮアクセスポイントへの接続には，公衆無線ＬＡＮの識別子（以下，「ＳＳＩＤ」と記す。ＳＳＩＤは，Service Set IDentifierの略。）と暗号化キーを含む設定情報が必要になる。無料の公衆無線ＬＡＮサービスの中には，ＳＳＩＤのみで利用可能な公衆無線ＬＡＮサービスもあるが，商業施設では，商業施設を利用した客のみが無料で公衆無線ＬＡＮサービスを利用できるように，無線ＬＡＮアクセスポイントへの接続に暗号化キーを必要とする場合が多い。
【０００４】
携帯端末の知識に詳しいユーザならば，無線ＬＡＮアクセスポイントへの接続に必要な設定情報を携帯端末に手動設定できるが，携帯端末の知識に乏しいユーザも多いため，商業施設では，無線ＬＡＮアクセスポイントへの接続に必要な設定情報を容易に携帯端末に設定できることが望まれている。
【０００５】
無線ＬＡＮアクセスポイントへの接続に必要な設定情報を容易に携帯端末に設定できる発明として，無線タグを利用して，無線ＬＡＮアクセスポイントの設定情報を携帯端末に設定する発明が特許文献１で開示されている。特許文献１で開示されている発明では，無線タグは公開鍵暗号の公開鍵を記憶し，無線ＬＡＮアクセスポイントは，無線ＬＡＮアクセスポイントにかざされた無線タグから読み取った公開鍵を用いて，無線ＬＡＮアクセスポイントの設定情報の暗号文を生成した後，設定情報の暗号文を格納したビーコンを無線発信し、携帯端末は，無線タグの公開鍵と対になる秘密鍵を用いて，ビーコンに格納された設定情報の暗号文を復号化して利用する。
【先行技術文献】
【特許文献】
【０００６】
【特許文献１】特開２００６−２８５８２６号公報
【発明の概要】
【発明が解決しようとする課題】
【０００７】
しかしながら，特許文献１で開示されている発明では，無線ＬＡＮアクセスポイントに接続する際，無線ＬＡＮアクセスポイントに無線タグをかざすことが必要になるため，無線ＬＡＮアクセスポイントの近傍でしか，無線ＬＡＮアクセスポイントの設定情報を携帯端末に設定できない問題がある。
【０００８】
そこで，本発明は，無線ＬＡＮアクセスポイントのエリア内の任意の場所で，無線タグを利用して，無線ＬＡＮアクセスポイントの設定情報を携帯端末に設定できるシステムを提供することを目的とする。
【課題を解決するための手段】
【０００９】
上述した課題を解決する第１の発明は，公衆無線ＬＡＮサービスに対応する無線ＬＡＮアクセスポイントの設定情報を記憶した無線タグと，前記無線タグから前記設定情報を近距離無線通信により読み出す処理と，前記無線タグから読み出した前記設定情報を利用して前記無線ＬＡＮアクセスポイントへ接続する処理を行う無線ＬＡＮ接続制御部を備えた携帯端末とから少なくとも構成したことを特徴とする無線ＬＡＮアクセスポイント接続システムである。
【００１０】
更に，第２の発明は，前記無線タグの形態に特徴を持たせた発明で，第１の発明に記載に記載した無線ＬＡＮアクセスポイント接続システムにおいて，前記無線タグに対応する前記無線ＬＡＮアクセスポイントが設置された場所に係る情報を印刷したシート状の印刷物に前記無線タグを貼付したことを特徴とする。
【００１１】
更に，第３の発明は，前記無線タグを利用して前記公衆無線ＬＡＮサービスにログインできるようにした発明で，第２の発明に記載した無線ＬＡＮアクセスポイント接続システムにおいて，前記無線タグは，前記無線タグが貼付された前記印刷物の識別子を記憶し，前記携帯端末の前記無線ＬＡＮ接続制御部は，前記設定情報と前記印刷物の識別子を前記無線タグから読み出し，前記設定情報を利用して前記無線ＬＡＮアクセスポイントへ接続した後，前記印刷物の識別子を利用して前記公衆無線ＬＡＮサービスにログインすることを特徴とする。
【発明の効果】
【００１２】
上述した本発明によれば，携帯端末は，無線タグに記憶された設定情報を利用して無線ＬＡＮアクセスポイントへ接続するため，無線ＬＡＮアクセスポイントのエリア内であれば，無線タグを利用して無線ＬＡＮアクセスポイントへ接続できる。
【図面の簡単な説明】
【００１３】
【図１】無線ＬＡＮアクセスポイント接続システムを説明する図。
【図２】無線タグを貼付した印刷物を説明する図。
【図３】携帯端末が備える無線ＬＡＮ接続制御部の動作を説明する図。
【発明を実施するための形態】
【００１４】
ここから，本発明の好適な実施形態を記載する。なお，以下の記載は本発明の技術的範囲を束縛するものでなく，理解を助けるために記述するものである。
【００１５】
図１は，本実施形態に係る無線ＬＡＮアクセスポイント接続システム１を説明する図である。図１に図示したように，本実施形態に係る無線ＬＡＮアクセスポイント接続システム１は，公衆無線ＬＡＮサービスを利用するために設置された無線ＬＡＮアクセスポイント５と，無線ＬＡＮアクセスポイント５の設定情報を少なくとも記憶した無線タグ３と，無線タグ３を利用して無線ＬＡＮアクセスポイント５に接続する携帯端末２と，無線タグ３を貼付したシート状の印刷物４とから少なくとも構成される。
【００１６】
図１では，無線タグ３を貼付した印刷物４が置かれた場所をカラオケボックスの部屋として図示しているが，無線ＬＡＮアクセスポイント接続システム１を適用可能な商業施設はカラオケボックスに限定されない。無線ＬＡＮアクセスポイント接続システム１を適用可能な商業施設としては，カラオケボックス以外に，インターネットカフェ，漫画喫茶，コンビニエンスストア，ホテル、映画館、交通機関（駅，乗り物）およびスタジアム等が考えられる。また，図１では，無線タグ３を貼付した印刷物４を机の上に置いているが，無線タグ３を貼付した印刷物４を置く場所は机の上に限定されない。例えば，無線タグ３を貼付した印刷物４を壁やガラス窓に貼り付けることもできる。
【００１７】
図２は，無線タグ３を貼付した印刷物４を説明する図である。図２で図示したように，無線タグ３を貼付した印刷物４には，無線タグ３に対応する無線ＬＡＮアクセスポイント５が設置された場所に係る情報として部屋の利用案内４０（例えば，利用ルール）が印刷されている。更に，図２で図示したように，本実施形態の印刷物４には，ユーザ６が携帯端末２をかざす位置を示すマーク４１を印刷し，このマーク４１の裏面側にシール形態の無線タグ３を貼付している。図２では，ユーザ６が携帯端末２をかざす位置を示すマーク４１を印刷物４の右側に印刷しているが，マーク４１の印刷位置，すなわち，無線タグ３の配置位置は任意である。また，無線タグ３は，印刷物４の裏面側ではなく表面側に貼付することもできる。
【００１８】
図２で図示したように，無線タグ３をシート状の印刷物４に貼付けておけば，部屋を利用するユーザ６は無線タグ３の存在を一目でわかるようになるし，また，無線ＬＡＮアクセスポイント５の設定情報を定期的に変更する場合，無線タグ３を貼付した印刷物４を変更する単純な作業で対応を図れる。
【００１９】
シート状の印刷物４に貼付されている無線タグ３とは，近距離無線を利用した個体識別に用いられているデバイスで，詳しくは，データ容量の小さいＩＣタグやデータ容量の大きい非接触ＩＣカードである。無線タグ３は，通信距離が数ｃｍから数ｍ程度である近距離通信を行うためのアンテナ３１と，アンテナ３１と接続しているＩＣチップ３０を備え，無線タグ３を検知した携帯端末２に対して，ＩＣチップ３０に記憶されている設定情報を近距離無線通信により送信する動作を行う。
【００２０】
無線タグ３のＩＣチップ３０には，無線ＬＡＮアクセスポイント５への接続に必要な設定情報が記憶される。無線ＬＡＮアクセスポイント５の設定情報を平文の状態で無線タグ３のＩＣチップ３０に記憶させてもよいが，暗号化した状態で記憶させることが好適である。
【００２１】
無線ＬＡＮアクセスポイント５の設定情報は，無線ＬＡＮアクセスポイント５のＳＳＩＤと，無線ＬＡＮアクセスポイント５が有する暗号化機能（例えば，ＷＥＰ）に対応した暗号化キーを含む。なお，無線ＬＡＮアクセスポイント５への接続にこれ以外の情報（例えば，プロキシやＤＨＣＰサーバに係る情報）が必要な場合，ＳＳＩＤと暗号化キー以外の情報を設定情報に含ませることができる。
【００２２】
加えて，無線ＬＡＮアクセスポイント５への接続した後，公衆無線ＬＡＮサービスにログインすることが必要になる場合，公衆無線ＬＡＮサービスへのログインに必要なログイン情報を無線タグ３のＩＣチップ３０に記憶させることができる。なお，このログイン情報に，無線タグ３を貼付した印刷物４の識別子を含ませておくと，印刷物４の識別子に応じた処理を公衆無線ＬＡＮサービス側で行うことができる。
【００２３】
図１で図示したように，本実施形態に係る無線ＬＡＮアクセスポイント接続システム１を利用するユーザ６は，印刷物４に貼付された無線タグ３から読み出した無線ＬＡＮアクセスポイント５の設定情報を利用して，無線ＬＡＮアクセスポイント５に接続する携帯端末２を所持している。
【００２４】
図１でしたように，ユーザ６が所持する携帯端末２は，無線タグ３とデータ通信するための機能である近距離無線通信部２１と，無線タグ３から読み出した設定情報を利用して無線ＬＡＮアクセスポイント５に接続するための機能である無線ＬＡＮ接続制御部２０と，公衆無線ＬＡＮサービスを利用する時に起動するアプリケーションであるブラウザ２２を備える。なお，図１では，携帯端末２をスマートフォンの形態で記載しているが，上述した機能を備えていれば，スマートフォン以外の形態（例えば，タブレットやノート型のＰＣ）でも携帯端末２を実現できる。
【００２５】
携帯端末２が備える近距離無線通信部２１は，ＮＦＣ（Near Field Communication）のＩＣチップのように，携帯端末２に実装された近距離無線通信用のアンテナ（図示していない）を利用して近距離無線通信するＩＣチップで実現される機能である。携帯端末２が備える近距離無線通信部２１は，無線ＬＡＮ接続制御部２０から指示されたコマンドを近距離無線通信により発信し，無線タグ３から受信したレスポンスを無線ＬＡＮ接続制御部２０に引き渡す処理を行う。本実施形態において，携帯端末２の近距離無線通信部２１が発信するコマンドは，無線タグ３を検出するためのコマンドであるポーリングコマンドと，無線タグ３から設定情報等を読み出すコマンドになる。
【００２６】
携帯端末２が備える無線ＬＡＮ接続制御部２０は，Ｗｉｆｉ（登録商標）など無線ＬＡＮの規格に準拠した通信回路と，この通信回路を制御するコンピュータプログラムにより実現される機能である。携帯端末２をスマートフォンとする際，無線ＬＡＮ接続制御部２０として機能するアプリケーションが携帯端末２に実装されることになる。
【００２７】
図３は，携帯端末２が備える無線ＬＡＮ接続制御部２０の動作を説明する図である。携帯端末２の無線ＬＡＮ接続制御部２０を起動させる操作をユーザ６が携帯端末２上で行うことで，携帯端末２の無線ＬＡＮ接続制御部２０は起動する（Ｓ１）。携帯端末２をスマートフォンで実現する場合，無線ＬＡＮ接続制御部２０として携帯端末２のＣＰＵを機能させるアプリケーションを起動させる操作が，携帯端末２の無線ＬＡＮ接続制御部２０を起動させる操作になる。
【００２８】
ユーザ６の操作によって起動した携帯端末２の無線ＬＡＮ接続制御部２０は，携帯端末２の近距離無線通信部２１を起動させて，無線タグ３を検出するポーリング動作を近距離無線通信部２１に行わせる（Ｓ２）。携帯端末２の近距離無線通信部２１は，無線タグ３を検出するポーリング動作として，無線タグ３を検出できるまで，無線タグ３を検出するためのコマンドであるポーリングコマンドを一定時間間隔毎に送信する処理を行う。
【００２９】
携帯端末２の近距離無線通信部２１がポーリング動作を行っている状態で，ユーザ６が，印刷物４に貼付された無線タグ３のマーク４１に携帯端末２をかざすと，無線タグ３は，携帯端末２の近距離無線通信部２１が発信したポーリングコマンドを受信し（Ｓ３），無線タグ３が記憶しているＩＤ番号を含むポーリングコマンドのレスポンスを発信する（Ｓ４）。携帯端末２の近距離無線通信部２１は，ポーリングコマンドのレスポンスを無線タグ３から受信すると（Ｓ５），ポーリングコマンドのレスポンスを無線ＬＡＮ接続制御部２０に引き渡す。
【００３０】
携帯端末２の無線ＬＡＮ接続制御部２０は，ポーリングコマンドのレスポンスが引き渡されると，近距離無線通信部２１を利用して，無線ＬＡＮアクセスポイント５への接続に必要な設定情報を少なくとも読み出すコマンドを送信する（Ｓ６）。なお，ポーリングコマンドのレスポンスに含まれていたＩＤ番号は，設定情報を読み出す無線タグ３の指定に利用される。また，公衆無線ＬＡＮサービスにログインする時に用いるログイン情報が無線タグ３に記憶されている場合，携帯端末２の無線ＬＡＮ接続制御部２０は，このステップにおいて，設定情報とログイン情報を無線タグ３から読み出すことになる。
【００３１】
設定情報等を読み出すコマンドを受信した無線タグ３は，無線タグ３が記憶している無線ＬＡＮアクセスポイント５の設定情報等を近距離無線通信により発信し（Ｓ７），携帯端末２の近距離無線通信部２１は，無線タグ３から設定情報等を受信すると（Ｓ８），無線ＬＡＮアクセスポイント５の設定情報を無線ＬＡＮ接続制御部２０に引き渡す。
【００３２】
携帯端末２の無線ＬＡＮ接続制御部２０は，近距離無線通信部２１から設定情報等が引き渡されると，無線タグ３から読み出した設定情報を，携帯端末２が接続する無線ＬＡＮの設定情報として設定した後，この設定情報を利用して無線ＬＡＮアクセスポイント５に接続する（Ｓ９）。なお，無線ＬＡＮアクセスポイント５の設定情報が暗号化されている場合，携帯端末２の無線ＬＡＮ接続制御部２０は，暗号鍵を利用してこの暗号文を復号する。
【００３３】
また，無線ＬＡＮアクセスポイント５への接続した後，公衆無線ＬＡＮサービスへのログインが必要な場合，携帯端末２の無線ＬＡＮ接続制御部２０は，無線タグ３から読み出したログイン情報を利用して，公衆無線ＬＡＮサービスにログインする（Ｓ１０）。
【００３４】
携帯端末２が備えるブラウザ２２は，公衆無線ＬＡＮサービスを利用するためのアプリケーションで，公衆無線ＬＡＮサービスにログインした後に携帯端末２上で起動する。ユーザ６が手動でブラウザ２２を起動させるように構成することもできるが，公衆無線ＬＡＮサービスにログインしたことをトリガーとして，ブラウザ２２が自動で起動するように構成することが好適である。
【００３５】
このように，携帯端末２は，無線タグ３に記憶された設定情報を利用して無線ＬＡＮアクセスポイント５へ接続するため，無線ＬＡＮアクセスポイント５のエリア内であれば，携帯端末２は，無線タグ３に記憶された設定情報を近距離無線通信により読み出すことで，無線ＬＡＮアクセスポイント５へ接続できる。
【００３６】
更に，無線ＬＡＮアクセスポイント５への接続に必要な設定情報に加え，公衆無線ＬＡＮサービスにログインするために必要なログイン情報を無線タグ３に記憶し，このログイン情報に，印刷物４の識別子を含ませておくと，印刷物４の識別子に応じた管理を公衆無線ＬＡＮ側で行うことができる。例えば，印刷物４の識別子から印刷物４が置かれている場所を特定すれば，印刷物４が置かれている場所に対応するウェブサービスを携帯端末２のブラウザ２２に表示させることができる。また，公衆無線ＬＡＮサービス側で，印刷物４が置かれている場所に応じて，公衆無線ＬＡＮサービスの利用時間を管理することもできるし，印刷物４が置かれている場所の利用頻度も把握できる。
【符号の説明】
【００３７】
１    無線ＬＡＮアクセスポイント接続システム
２    携帯端末
２０  無線ＬＡＮ接続制御部
２１  近距離無線通信部
２２  ブラウザ
３    無線タグ
４    シート状の印刷物
５    無線ＬＡＮアクセスポイント
６    ユーザ
【図１】
2017147536.tif 000003
【図２】
2017147536.tif 000004
【図３】
2017147536.tif 000005